(57)【要約】【課題】延線ドラムにシューチェンを介して巻き付けた電線を何度引き出しても、又は巻き取っても巻胴の外周面上が傷付かず、かつ既存のシュー及び滑りキーを大きく変える必要の無い、延線装置における延線ドラムの滑りキーとシューチェンの係止構造を提供する。【解決手段】シューチェン式延線装置の延線ドラムの外周面１２ａに設けた滑りキー１の高さをシューチェンの各シュー１４の底面１４ｂの長手方向略中央の溝１４ａの深さより長くして、当該滑りキー１に各シュー１４を被せて前記溝１４ａで係止した際、当該シュー１４の底面１４ｂが前記外周面１２ａ上に接しないようにした。【選択図】図１
2019110687.tif 000002
【特許請求の範囲】
【請求項１】
シューチェン式延線装置の延線ドラムの外周面に設けた滑りキーの高さをシューチェンの各シューの底面の長手方向略中央の溝の深さより長くして、当該滑りキーに各シューを被せて前記溝で係止した際、当該シューの底面が前記外周面上に接しないようにしたことを特徴とする、延線装置における延線ドラムの滑りキーとシューチェンの係止構造。
【請求項２】
シューチェン式延線装置の延線ドラムの外周面に装着するシューの底面の長手方向略中央の溝の深さを延線ドラムの外周面に設けられた滑りキーの高さより短くして、当該滑りキーに各シューを被せて前記溝で係止した際、当該シューの底面が前記外周面上に接しないようにしたことを特徴とする、延線装置における延線ドラムの滑りキーとシューチェンの係止構造。
【発明の詳細な説明】
【技術分野】
【０００１】
この発明は、送電線等の延線作業を行う際に用いるシューチェン式延線装置の延線ドラムの巻胴の外周面の滑りキーとシューチェンの係止構造に関するものである。
【背景技術】
【０００２】
送電線の延線工事は一定の区間の電線を引き延ばす工事である。この工事で、電線の一方のドラム場では、延線車に延線ドラムが設置され、当該延線ドラムに巻き付けられた電線が繰り出される。近年では電線の巻き取り機能も備えた延線車が主流で、電線の仮上げや旧電線撤去に使用されている。
【０００３】
前記延線ドラムＡは、図３に示すように、機枠の回転軸１１に金属製の巻胴１２が回転自在に支持されており、この巻胴１２の外周面１２ａには当該外周面１２ａの一端から他端にわたって縦断面台形状の突条から成る滑りキー１３が一定間隔で多数設けられている。
【０００４】
そして、電線を前記巻胴１２に巻き付けるのにシューチェンＢが使用されている。このシューチェンＢは、シュー１４を多数連続接続して成り、底面の長手方向の中央には縦断面台形状の溝１４ａを設けている。当該溝１４ａは前記底面の長手方向に略直角に設けられている。延線ドラムＡへの装着に当っては、図４に示すように、前記滑りキー１３に前記シュー１４の溝１４ａを被せている。そして、当該シューチェンの上面の各受け溝に電線を巻き付けて、シューチェンの回転と共に電線を延線ドラムから繰り出し、又は巻き取りをしている。
【０００５】
この様な延線ドラムであるが、シューチェンＢ（シュー１４）が前記巻胴１２と一体になって回転しながら横方向に移動及び折り返し移動して当該巻胴１２の外周面１２ａ上を摺動する。特に旧電線撤去時（巻き取り時）は電線とドラムの摩擦係数が大きくなり、結果当該シュー１４の底面１４ｂによって巻胴１２の外周面１２ａ上を傷付けて、この外周面１２ａに凸凹が出来る。この様な状態を放置しておくと、外周面１２ａ上のシューチェンＢ（シュー１４）の横移動の動きが悪くなり、延線ドラムＡから電線を円滑に引き出し難くなり、ひいては延線作業が中断し工期が伸びてしまうなどの支障を来たすこととなる。
【０００６】
この様な課題を解決するために、巻胴上の隣接する２本の滑りキーの間に挿入・係合自在で、挿入・係合時に延線ドラムの表面との間に空隙を残す凸部を備えたシューを設け、且つ当該シューは上記２本の滑りキーへ跨る長さを有すると言うシューチェン式の延線車が開発されている。
【特許文献１】実公昭６３−２５８４９号公報
【発明の開示】
【発明が解決しようとする課題】
【０００７】
しかしながら、上記特許文献１に記載されたシューチェンのシューでは、まず、既存のシューとは下部の形状が全く異なる。また、一定間隔で滑りキーが設けられた既存の延線ドラムに使用しようとすると、ここでのシューは、およそ従来のシューの２つ分の長さとなる。これらのことから、シューを根本的に作り替えなければならない。その為、手間と費用がかかる。
【０００８】
また、従来のシューの２つ分の長さのシューでは、従来のシューの様に小回りが利いた巻胴の外周面上の回転が出来ず、延線ドラムから円滑な電線の繰り出し、巻き取りが出来ないおそれがある。
【０００９】
さらに、シューの長さを従来のシューの２つ分としなかった場合、滑りキーの配置を変えなければならず、その分手間と費用がかかる。
【００１０】
この発明は、以上の様な点に鑑みて為されたもので、延線ドラムにシューチェンを介して巻き付けられた電線を何度引き出しても、又は巻き取っても巻胴の外周面上が傷付かず、かつ既存のシュー及び滑りキーを大きく変える必要の無い、延線装置における延線ドラムの滑りキーとシューチェンの係止構造を提供して上記課題を解決するものである。
【課題を解決するための手段】
【００１１】
請求項１の発明は、シューチェン式延線装置の延線ドラムの外周面に設けた滑りキーの高さをシューチェンの各シューの底面の長手方向略中央の溝の深さより長くして、当該滑りキーに各シューを被せて前記溝で係止した際、当該シューの底面が前記外周面上に接しないようにした、延線装置における延線ドラムの滑りキーとシューチェンの係止構造とした。
【００１２】
請求項２の発明は、シューチェン式延線装置の延線ドラムの外周面に装着するシューの底面の長手方向略中央の溝の深さを延線ドラムの外周面に設けられた滑りキーの高さより短くして、当該滑りキーに各シューを被せて前記溝で係止した際、当該シューの底面が前記外周面上に接しないようにした、延線装置における延線ドラムの滑りキーとシューチェンの係止構造とした。
【発明の効果】
【００１３】
請求項１及び２の各発明によれば、滑りキーの高さをシューの底面の溝の深さより長く等して、当該滑りキーにシューを被せて係止した際、当該シューの底面が前記巻胴の外周面上に接しない様にしたので、延線ドラムの巻胴の外周面に、滑りキーを介してシューチェンを巻き付けて、当該シューチェンに電線を巻き付けてシューチェンから電線を繰り出し、又は巻き取りした時シューが横移動しても当該延線ドラムの外周面が傷付き、凹凸が出来ると言うことがない。そして、この発明の構成の滑りキーとシューチェンの係止構造ではシューの溝と滑りキーの接触面が傷付いたり、擦り減ったりするが、その際は当該滑りキーやシューを新しいものと交換すれば良く、経費が節減できる。
【００１４】
これにより、延線ドラムの外周面が傷付かないので、この延線ドラムを安全に長期間にわたって使用でき、延線ドラムの信頼性が増し、また、経費の節減にも繋がるものである。
【００１５】
また、シューの形状は、基本的に既存のシューと同様の底面の長手方向の略中央に溝を設けた形状なので、既存の滑りキー及びシューを大きく作り直すと言うことがないので、汎用性が高く、使い勝手の良いものである。
【図面の簡単な説明】
【００１６】
【図１】この発明の実施の形態例の延線ドラムの外周面の滑りキーとシューチェンの係止構造の一部断面側面図である。
【図２】この発明の実施の形態例の延線ドラムの外周面に取り付けた滑りキーの断面図である。
【図３】延線ドラムの構成を示す一部斜視図である。
【図４】従来の延線ドラムの外周面の滑りキーとシューチェンの係止構造の一部断面側面図である。
【発明を実施するための形態】
【００１７】
（実施の形態例）
以下、この発明の実施の形態例の延線ドラムの外周面の滑りキーとシューチェンの係止構造を図に基づいて説明する。
【００１８】
最初に、シューチェン式延線装置の延線ドラムＡの巻胴１２の外周面１２ａに一定間隔で多数配置された縦断面台形状の滑りキー１の高さを、図２に示すように、既存のシューチェンＢのシュー１４の底面１４ｂの溝１４ａの深さより長く設ける（図４参照）。
【００１９】
また、シューチェンＢのシュー１４の底面１４ｂの溝１４ａは既存のものと同形状のもので良い。すなわち、溝１４ａの形状は滑りキー１の形状と略同形状である。
【００２０】
次に、前記延線ドラムＡの巻胴１２の外周面１２ａに設けた滑りキー１に前記シューチェンＢのシュー１４を被せて係止する。すると、図１に示すように、シュー１４は、底面１４ｂの溝１４ａの天井面及び一側面と、滑りキー１の上面１ａ及び一側面１ｂによって接触して荷重を受けて、安定して支持され、このシュー１４の底面１４ｂが巻胴１２の外周面１２ａから浮き上がり、これらに接触することはない。
【００２１】
これにより、延線ドラムＡの巻胴１２の外周面１２ａに、滑りキー１を介してシューチェンＢを巻き付けて、当該シューチェンＢに電線を巻き付け、当該シューチェンＢの回転及び滑りキー１に沿った横滑りにより当該電線を巻き取っても、当該延線ドラムＡの巻胴１２の外周面１２ａが傷付き、凹凸が出来ると言うことがない。
【００２２】
また、巻胴１２の外周面１２ａが傷付かないので、この延線ドラムＡをより長い期間にわたって使用することができ、延線ドラムＡの信頼性が増し、また、経費の節減にも貢献することができる。
【００２３】
また、シューの形状は、基本的に既存のシューと同様の底面の長手方向の略中央に長手方向と略直角な溝を設けた形状なので、既存の滑りキー及びシューを大きく作り直すと言うことがないので、汎用性が高く、使い勝手の良いものである。
【００２４】
前記実施の形態例では、滑りキー１の高さを既存のシュー１４の底面の溝の深さより長くしているが、逆に、シューの底面の溝の深さを既存の滑りキーの高さより小さくして、シューチェンＢのシュー１４の底面１４ｂを巻胴１２の外周面から浮き上がらせる構成としても良い。
【００２５】
また、前記滑りキー１の縦断面を前記シュー１４の溝１４ａの縦断面の形状と略同形状に設けているが、滑りキー１の縦断面の形状や大きさは、必ずしもこれに限るものではなく、シュー１４を係止した際、当該シュー１４が傾いたりせず、延線ドラムＡの巻胴１２の外周面１２ａからシュー１４の底面１４ｂが浮き上がった状態で、安定して確実に支持できるならば、滑りキー１の縦断面の形状は、シュー１４の溝１４ａと略同形状でなくても良く、また、大きさもシュー１４に嵌合出来るものなら良い。
【００２６】
さらに、前記滑りキー１の縦断面を台形状としているが、これは、台形状に限らず、正方形状や長方形状、その他の形状でも良い。また、シュー１４の底面の溝の縦断面を台形状としているが、これは、台形状に限らず、正方形状や長方形状、その他の形状でも良い。
【００２７】
また、上述の様に、シューチェンＢの各シュー１４は滑りキー１に係止されて延線ドラムＡと共に回転しながら滑りキー１に沿って摺動する。従って、各シュー１４の溝１４ａの天井面及び一側面と、滑りキー１の上面１ａ及び一側面１ｂとが摩擦し、使用によりこれらが摩耗するおそれがあるが、その際は該当するシュー１４を新しいものに交換するか、該当する滑りキー１を交換すれば良く、延線ドラムＡの交換より作業コストは節減できる。
【符号の説明】
【００２８】
Ａ    延線ドラム            Ｂ    シューチェン
１    滑りキー              １ａ  上面          １ｂ  一側面
１１    回転軸              １２    巻胴        １２ａ  外周面
１３    滑りキー            １４    シュー      １４ａ  溝
１４ｂ  底面
【図１】
2019110687.tif 000003
【図２】
2019110687.tif 000004
【図３】
2019110687.tif 000005
【図４】
2019110687.tif 000006